(57)【特許請求の範囲】
【請求項１】
電話通信用の信号は通過可能で、ＡＤＳＬ（asymmetric digital subscriber line）信号は通過不能なロウパスフィルタを有する主配線板の局内側端子板であって、
断器用コネクタ間に前記ロウパスフィルタを有することを特徴とする主配線板の局内側端子板。
【請求項２】
ＡＤＳＬ（asymmetric digital subscriber line）信号は通過可能で、電話通信用の信号は通過不能なハイパスフィルタを有する主配線板用のハイパスフィルタ用端子板であって、
主配線板の外線側端子板と直接または間接に接続する第１のＵスリット端子と、
ＡＤＳＬシステムと接続する第２のＵスリット端子と、
第１および第２のＵスリット端子間に設けられた２つの断器用コネクタと、
当該断器用コネクタ間に前記ハイパスフィルタとを有することを特徴とする主配線板用のハイパスフィルタ用端子板。
【請求項３】
外線側端子板と、請求項１記載の局内側端子板と、請求項２記載のハイパスフィルタ用端子板とを有する主配線板であって、
外線側端子板からの出力は、前記局内側端子板およびハイパスフィルタ用端子板に並列に入力されるよう接続し、
前記局内側端子板は電話交換機システムと接続し、
前記ハイパスフィルタ用端子板はＡＤＳＬシステムと接続することを特徴とする主配線板。
【請求項４】
外線側端子板と、請求項１記載の局内側端子板とを有する主配線板であって、
外線側端子板からの出力は、前記局内側端子板と、主配線板の外部に設けられたＡＤＳＬシステムと接続する請求項２記載のハイパスフィルタ用端子板とに並列に入力されるよう接続し、
前記局内側端子板は電話交換機システムと接続することを特徴とする主配線板。
【発明の詳細な説明】
【０００１】
【発明の属する技術分野】
本発明は、既存の電話回線網をＡＤＳＬ（asymmetric digital subscriber line）システムに接続する主配線板に関し、特に、既存の主配線板に僅かな改良を加え、極めて容易な配線処理を行うだけでユーザにＡＤＳＬサービスの提供を可能とする主配線板、およびこの主配線板に好適に用いることができる局内側端子板およびハイパスフィルタ用端子板に関する。
【０００２】
【従来の技術】
近年、ＡＤＳＬ技術を用いたネットワーク接続サービスが急速に普及しているが、このサービスをユーザに提供するためには、従来の電話通信システムの主配線板（ＭＤＦ）を改良してＡＤＳＬシステムと接続する必要がある。
【０００３】
図５に従来の電話回線網を示す。図５に示すように、従来の電話通信システムでは、ＭＤＦの外線側端子板（ＯＳＰ）１と電話端末１０１’とを接続し、局内側端子板（ＩＳＰ）２’と電話交換機（ＰＯＴＳ）６とを接続し、ＯＳＰ１の１１ｂとＩＳＰ２’の２１ｂとをジャンパ接続して回線を接続する。
【０００４】
ＡＤＳＬサービスを提供する場合、ＭＤＦは、ユーザが電話通信を行う場合にはＰＯＴＳシステム６と接続し、ＡＤＳＬ通信を行う際にはＡＤＳＬシステム５と接続する必要がある。つまり、電話通信用の信号（ＰＯＴＳ信号）はＰＯＴＳシステム６に、ＡＤＳＬ信号はＡＤＳＬシステム５に送信する機能が必要となる。
そこで、従来は、図５のシステムを図４に示すように改良し、ユーザに対してＡＤＳＬサービスの提供を行っていた。
【０００５】
図４に示すＭＤＦは、ＯＳＰ１およびＩＳＰ２’に加え、入力側スプリッタモジュール中継端子板（ＳＰＭ−ＩＮ）８’と出力側スプリッタモジュール中継端子板（ＳＰＭ−ＯＵＴ）９を設け、ＡＤＳＬシステム５と接続するスプリッタモジュール（ＳＰＭ）７と接続する。
【０００６】
ＭＤＦは、ＰＯＴＳスプリッタ１０２からＰＯＴＳ信号とＡＤＳＬ信号との合成信号が入力される。ＰＯＴＳスプリッタ１０２は、ＡＤＳＬ端末であるＰＣ１００からのＡＤＳＬ信号と、電話端末であるＴＥＬ１１０からのＰＯＴＳ信号とを合成し、合成信号をＭＤＦに入力する。
ＭＤＦは、この合成信号をＯＳＰ１で受信する。ここで、ＡＤＳＬサービス契約を締結したユーザからの信号は、ＩＳＰ２’に直接入力せず、ＳＰＭ−ＩＮ８’に入力する。ＳＰＭ−ＩＮ８’は、この信号をＳＰＭ７に入力する。
【０００７】
ＳＰＭ７は、ＰＯＴＳスプリッタカード３’を有する。ＰＯＴＳスプリッタカード３’は、ローパスフィルタ（ＬＰＦ）とハイパスフィルタ（ＨＰＦ）とを有し、ユーザ側からの信号をＰＯＴＳ信号とＡＤＳＬ信号とに分ける（分配する）。
ＡＤＳＬ信号は、ＰＯＴＳ信号（従来の電話通信）で用いられない高い周波数帯域の信号であるため、ＬＰＦでは通過できず、ＨＰＦは通過する。逆に、ＰＯＴＳ信号は、ＬＰＦは通過し、ＨＰＦでは通過しない。つまり、ＡＤＳＬ信号は、出力端子７１ａ’’から出力され、ＡＤＳＬシステム５に入力する。また、ＰＯＴＳ信号は、出力端子７１ａ’から出力されＳＰＭ−ＯＵＴ９に入力する。
ＳＰＭ−ＯＵＴ９は、ＳＰＭ７から入力された信号、つまりＰＯＴＳ信号をＩＳＰ２’に入力する。ＩＳＰ２’は、ＰＯＴＳ信号をＰＯＴＳシステム６に送信する。
このように、ユーザ側からのＡＤＳＬ信号はＡＤＳＬシステム５へ、ＰＯＴＳ信号はＰＯＴＳシステム６へそれぞれ伝送される。
【０００８】
ＰＯＴＳシステム６またはＡＤＳＬシステム５からユーザ側への信号は、上述した流れと逆にたどることでスプリッタ１０２に入力される。スプリッタ１０２は、ＡＤＳＬ信号はＡＤＳＬ端末１００に、ＰＯＴＳ信号は電話端末１０１に入力する。
【０００９】
【発明が解決しようとする課題】
このように、上記従来技術では、ＭＤＦの管理者は、図４に示す従来の通信システムにＳＰＭ−ＩＮ８’とＳＰＭ−ＯＵＴ９とＳＰＭ７との３つの要素を加える必要があり、さらに、従来のシステムと新たな要素およびＡＤＳＬシステム５とを接続する複雑な配線処理を行う必要があった。
【００１０】
ＯＳＰ１は、図５に示す従来の音声通信システムではＩＳＰ２’と直接接続しているのに対し、図４に示すシステムではＳＰＭ−ＩＮ８’とＳＰＭ７とＳＰＭ−ＯＵＴ９とを介してＩＳＰ２’と接続する。
つまり、
▲１▼ＯＳＰ１のＵスリット端子１１ａの接続先を、ＩＳＰ２’のジャンパ接続用Ｕスリット端子２１ｂからＳＰＭ−ＩＮ８’のジャンパ接続用Ｕスリット端子８１ａに変更し、
▲２▼ＳＰＭ−ＩＮ８’のＵスリット端子８１ａ’をＳＰＭ７のＰＯＴＳ接続端子７１ａ’と接続し、
▲３▼ＳＰＭ７のＨＰＦからの出力端子７１ａ”をＡＤＳＬシステム５に接続し、▲４▼ＳＰＭ７のＬＰＦからの出力端子７１ａ’をＳＰＭ−ＯＵＴ９のＵスリット端子９１ａ’と接続し、
▲５▼ＳＰＭ−ＯＵＴ９のジャンパ接続用Ｕスリット端子９１ａをＩＳＰ２’のジャンパ接続用Ｕスリット端子２１ａに接続する、
必要があった。
このような複雑な改良処理および配線処理を必要とするため、ユーザにＡＤＳＬサービスを提供するまでには極めて長い時間を要した。
【００１１】
本発明は、上記問題点に鑑みなされたものであり、従来の主配線板（ＭＤＦ）に僅かな変更を加え、極めて容易な配線処理を行うだけでユーザにＡＤＳＬサービスを提供可能な主配線板を提供することを目的とする。
また、このような主配線板に好適に使用可能な局内側端子板（ＩＳＰ）およびハイパスフィルタ用端子板を提供することを目的とする。
【００１２】
【課題を解決するための手段】
かかる目的を達成するために、請求項１記載の発明は、電話通信用の信号は通過可能で、ＡＤＳＬ（asymmetric digital subscriber line）信号は通過不能なロウパスフィルタを有する主配線板の局内側端子板であって、断器用コネクタ間にロウパスフィルタを有することを特徴とする。
【００１３】
請求項２記載の発明は、ＡＤＳＬ（asymmetric digital subscriber line）信号は通過可能で、電話通信用の信号は通過不能なハイパスフィルタを有する主配線板用のハイパスフィルタ用端子板であって、主配線板の外線側端子板と直接または間接に接続する第１のＵスリット端子と、ＡＤＳＬシステムと接続する第２のＵスリット端子と、第１および第２のＵスリット端子間に設けられた２つの断器用コネクタと、当該断器用コネクタ間にハイパスフィルタとを有することを特徴とする。
【００１４】
請求項３記載の主配線板の発明は、外線側端子板と、請求項１記載の局内側端子板と、請求項２記載のハイパスフィルタ用端子板とを有する主配線板であって、外線側端子板からの出力は、局内側端子板およびハイパスフィルタ用端子板に並列に入力されるよう接続し、局内側端子板は電話交換機システムと接続し、ハイパスフィルタ用端子板はＡＤＳＬシステムと接続することを特徴とする。
【００１５】
請求項４記載の主配線板の発明は、外線側端子板と、請求項１記載の局内側端子板とを有する主配線板であって、外線側端子板からの出力は、局内側端子板と、主配線板の外部に設けられたＡＤＳＬシステムと接続する請求項２記載のハイパスフィルタ用端子板とに並列に入力されるよう接続し、局内側端子板は電話交換機システムと接続することを特徴とする。
【００１８】
【発明の実施の形態】
以下、本発明に係る主配線板、局内側端子板およびハイパスフィルタ用端子板を、実施の形態によって詳細に説明する。以下、主配線板について説明し、あわせて局内側端子板およびハイパスフィルタ用端子板についても説明する。
【００１９】
本発明に係る主配線板（ＭＤＦ）は、ユーザ側から入力された音声信号（ＰＯＴＳ信号）とデータ信号（高周波ＡＤＳＬ信号）の合成信号を、ロウパスフィルタ（ＬＰＦ）を有する局内側端子板（ＩＳＰ）とハイパスフィルタ（ＨＰＦ）を有するハイパスフィルタ用端子板（ＨＰＦ用端子板）に入力する。ＩＳＰは、上記合成信号をＬＰＦに通すことでＰＯＴＳ信号を取りだし、この信号を電話交換機システム（ＰＯＴＳシステム）に入力する。ＨＰＦ用端子板は、上記合成信号をＨＰＦに通すことでＡＤＳＬ信号を取り出し、この信号をＡＤＳＬシステムに入力する。
【００２０】
つまり、図５に示す従来のＭＤＦのＩＳＰにＬＰＦを設け、ユーザ側からの入力信号に対してＩＳＰと並列の位置にＨＰＦ用端子板を設け、外部側端子板（ＯＳＰ）をＩＳＰとＨＰＦ用端子板と二重接続するように配線するだけで、ユーザにＡＤＳＬサービスの提供が可能となる。
以下、このＭＤＦを好適に実施した例を、図面を参照しながら詳述する。
【００２１】
図１に上記ＭＤＦの内部構成例を示す。ＭＤＦは、従来同様に加入者端末（ＰＣ１００、ＴＥＬ１０１）と電話交換機６との間に配置され、ＯＳＰ１とＩＳＰ２とＨＰＦ用端子板８とを有する。
【００２２】
ＯＳＰ１
ＯＳＰ１は、従来のＭＤＦに採用されるＯＳＰと同じものまたはこれと同等のものを採用でき、図１に示すように保護回路１２とＵスリット端子１１とを備える。
【００２３】
ＩＳＰ２
ＩＳＰ２は、従来のＭＤＦに採用されるＩＳＰにＬＰＦ（ＬＰＦカード）を加えたものを採用し、ＯＳＰ１（加入者端末）とＰＯＴＳシステム６とを接続する。ＬＰＦは、ＰＯＴＳ信号とＡＤＳＬ信号との合成信号からＰＯＴＳ信号を取り出すことができるフィルタであればよい。つまり、ＡＤＳＬ信号用に使用される帯域の信号を取り除くことができるフィルタであればよい。このようなフィルタとしては公知のフィルタを採用できる。
図１に示すように、ＯＳＰ１とはＵスリット端子２１ｂで、ＰＯＴＳシステム６とはＵスリット端子２１ｂ’で接続する。Ｕスリット端子２１ｂおよび２１ｂ’の間には断器用コネクタ２２ｂ、２２ｂ’を有する。ＬＰＦ（ＬＰＦカード３）は、断器用コネクタ２２ｂおよび２２ｂ’の間に設ければよい。
【００２４】
ＬＰＦカード３の回路構成例を図２に示す。図２に示すように、ＬＰＦカード３は、ＬＰＦに入力端子（ＬＰＦカード接続端子）３１ｂと出力端子（ＬＰＦカード接続端子）３１ｂ’とを接続した構成を有する。ＬＰＦカード接続端子３１ｂはＯＳＩ１側のＵスリット端子２１ｂと接続し、３１ｂ’はＰＯＴＳシステム６側のＵスリット端子２１ｂ’と接続する。
【００２５】
ＨＰＦ用端子板８
ＨＰＦ用端子板８は、ＨＰＦを有し、ＡＤＳＬシステム５と接続する。ＨＰＦ用端子板８は、Ｕスリット端子２１ａ、２１ａ’と、断器用コネクタ２２ａ、２２ａ’と、ＨＰＦカード４とを有する。ＨＰＦは、ＰＯＴＳ信号とＡＤＳＬ信号との合成信号からＡＤＳＬ信号を取り出すことができるフィルタであればよい。つまり、ＰＯＴＳ信号用に使用される帯域の信号を取り除くことができるフィルタであればよい。このようなフィルタとしては公知のフィルタを採用できる。
図１に示すように、ＯＳＰ１とはＵスリット端子２１ａにより、ＡＤＳＬシステム５とはＵスリット端子２１ａ’により接続する。Ｕスリット端子２１ａおよび２１ａ’はの間には断器用コネクタ２２ａおよび２２ａ’を有する。ＨＰＦ（ＨＰＦカード４）は、断器用コネクタ２２ａおよび２２ａ’の間に設ければよい。
【００２６】
図４にＨＰＦカード４の回路構成例を示す。図４に示すように、ＨＰＦカード４は、ＨＰＦとＨＰＦカード接続端子３１ａ、３１ａ’とを有する。ＨＰＦカード接続端子３１ａは、Ｕスリット端子２１ａと接続する断器用コネクタ２２ａと、ＨＰＦカード接続端子３１ａ’は、Ｕスリット端子２１ａ’と接続する断器用コネクタ２２ａ’とそれぞれ接続する。
【００２７】
配線
ＯＳＰ１（Ｕスリット端子１１ａ）からの出力は、ＩＳＰ２およびＨＰＦ用端子板８に入力できるように配線する。すなわち、この出力に対してＩＳＰ２とＨＰＦ用端子板８とを並列に接続する。
従って、図１に示すように、Ｕスリット端子１１ａを、Ｕスリット端子２１ａおよび２１ｂとそれぞれジャンパ線で接続すればよい。また、図６、図７に示すようにＵスリット端子１１ａをＵスリット端子２１ａおよび２１ｂのいずれかとジャンパ線で接続し、かつＵスリット端子２１ａと２１ｂとを接続してもよい。
【００２８】
また、前記したように、ＩＳＰ２のＵスリット端子２１ｂ’をＰＯＴＳシステム６とＰＯＴＳ信号用ケーブルにより接続し、ＨＰＦ用端子板８のＵスリット端子２１ａ’をＡＤＳＬシステム５とＡＤＳＬ信号用ケーブルにより接続する。
【００２９】
動作例／制御例
ＰＯＴＳスプリッタ１０２は、ＴＥＬ１０１（電話端末）が作成したＰＯＴＳ信号とＰＣ１００（ＡＤＳＬ端末）が作成したＡＤＳＬ信号との合成信号を電話回線１０３経由でＯＳＰ１に入力する。ＯＳＰ１は、この合成信号をＩＳＰ２およびＨＰＦ用端子板８に入力する。
つまり、合成信号は、ＯＳＰ１に入力されると一時保護回路１２ａを経由してＵスリット端子１１ａに入力される。そして、ジャンパ線でＯＳＰ１と接続されているＩＳＰ２のＵスリット端子２１ｂとＨＰＦ用端子板８のＵスリット端子２１ａとに入力される。
【００３０】
ＩＳＰ２は、ＬＰＦカード３を用い、上記合成信号からＰＯＴＳ信号を取り出す。そして、ＰＯＴＳ信号をＰＯＴＳシステム６に入力する。
ＩＳＰ２は、ＯＳＰ１からＵスリット端子２１ｂに入力された合成信号を断器端子２２ｂ経由でＬＰＦカード３に入力する。ＬＰＦカード３は、入力端子３１ｂに合成信号が入力されると、これをＬＰＦに通す。ＬＰＦは、合成信号から所定の帯域よりも低い帯域の信号を取り出す。つまり、ＰＯＴＳ信号を取り出す。取り出したＰＯＴＳ信号は出力端子３１ｂ’から断器端子２２ｂ’に入力する。断器端子２２ｂ’に入力された合成信号は、Ｕスリット端子２１ｂ’からＰＯＴＳ用ケーブルを介してＰＯＴＳシステム６に入力される。
【００３１】
ＨＰＦ用端子板８は、ＨＰＦカード４を用い、上記合成信号からＡＤＳＬ信号を取り出す。そして、ＡＤＳＬ信号をＡＤＳＬシステム５に入力する。
ＨＰＦ用端子板８は、ＯＳＰ１からＵスリット端子２１ａに入力された合成信号を断器端子２２ａ経由でＨＰＦカード４に入力する。ＨＰＦカード４は、入力端子３１ａに合成信号が入力されると、これをＨＰＦに通し、合成信号から所定の帯域よりも高い帯域の信号を取り出す。つまりＡＤＳＬ信号を取り出す。取り出したＡＤＳＬ信号は出力端子３１ａ’から断器端子２２ａ’に入力する。断器端子２２ａ’に入力された合成信号は、Ｕスリット端子２１ａ’からＡＤＳＬ用ケーブルを介してＡＤＳＬシステム５に入力される。
【００３２】
なお、ＡＤＳＬシステム５からのＡＤＳＬ信号およびＰＯＴＳシステム６からのＰＯＴＳ信号は、上述した信号転送経路を逆順にたどることで加入者端末（ＴＥＬ１０１、ＰＣ端末１００）に到達する。
【００３３】
ＰＯＴＳシステム６から入力されたＴＥＬ１０１宛てのＰＯＴＳ信号は、ＭＤＦのＩＳＰ２に入力される。ＩＳＰ２はＬＰＦを有するが、前記したようにＰＯＴＳ信号はＬＰＦを通過可能なためＩＳＰ２を通過する。ＩＳＰ２を通過するとＯＳＰ１を介してＰＯＴＳスプリッタ１０２に入力される。ＰＯＴＳスプリッタ１０２は、公知の方法により、入力されたＰＯＴＳ信号をＴＥＬ１０１に入力する。
【００３４】
ＡＤＳＬシステム５から入力されたＰＣ１００宛てのＡＤＳＬ信号は、ＭＤＦのＨＰＦ用端子板８に入力される。ＨＰＦ用端子板８はＨＰＦを有するが、ＡＤＳＬ信号はＨＰＦを通過可能なためＨＰＦ用端子板８を通過する。ＨＰＦ用端子板８を通過するとＯＳＰ１を介してＰＯＴＳスプリッタ１０２に入力される。ＰＯＴＳスプリッタ１０２は、公知の方法により、入力されたＡＤＳＬ信号をＰＣ１００に入力する。
【００３５】
以上、この発明の好適な実施の形態を説明したが、上述の実施の形態はこの発明の説明のための例示であって、この実施形態のみにこの発明の範囲を限定する趣旨ではない。当業者は、この発明の要旨を逸脱することなく、種々の変形、改良、修正、簡略化などを上記実施形態に加えた種々の他の形態でもこの発明を実施することができる。
例えば、ＨＰＦ用端子板８をＭＤＦとＡＤＳＬシステム５との間またはＡＤＳＬシステム５内に設けることもできる。このようにＨＰＦ用端子板８をＭＤＦの外部に設ければ、既存のＭＤＦはＩＳＰ２にＬＰＦを追加し、外部に設けたＨＰＦ用端子板８とＯＳＰ１とを接続するだけでユーザにＡＤＳＬサービスを提供できる。
【００３６】
【発明の効果】
以上の説明から明らかなように、本発明によれば、従来のＭＤＦにＨＰＦ用端子板を新規に追加し、外線側端子板（ＯＳＰ）を、ＨＰＦ用端子板と局内側端子板（ＩＳＰ）とに接続し、ＨＰＦ用端子板にＨＰＦカードを、ＩＳＰにＬＰＦを実装する。ＨＰＦ用端子板は、ＡＤＳＬシステムと接続する。これにより、従来のシステム（ＰＯＴＳ信号系）のケーブルおよびジャンパ線を変更することなくユーザにＡＤＳＬサービスを提供できる。つまり、従来のシステムの配線を変更せずに、新たに追加したＡＤＳＬシステムと接続するＨＰＦ用端子板とＯＳＰとをジャンパ接続するだけの作業でシステムを構築できる。
【図面の簡単な説明】
【図１】本発明によるＭＤＦの構成例を説明するための図である。
【図２】図１のＭＤＦのＬＰＦカードの回路構成例を示す。
【図３】図１のＭＤＦのＨＰＦカードの回路構成例を示す。
【図４】従来のＡＤＳＬ接続例を説明するための図である。
【図５】従来のＭＤＦ構成例を示す。
【図６】本発明によるＭＤＦの第２の構成例を示す。
【図７】本発明によるＭＤＦの第３の構成例を示す。
【符号の説明】
１  外線側端子板（ＯＳＰ）
２  回線側端子板（局内側端子板；ＩＳＰ）
３  ＬＰＦカード
３’  スプリッタカード
４  ＨＰＦカード
５  ＡＤＳＬシステム
６  ＰＯＴＳシステム（電話交換機システム）
７  スプリッタモジュール
８  ＨＰＦ用端子板
８’  スプリッタモジュール中継端子
９  ＰＯＴＳ用スプリッタモジュール中継端子
１１ａ、１１ｂ  Ｕコンタクト（Ｕスリット端子）
１２ａ、１２ｂ  サージ保護回路
２１ａ、２１ｂ  ジャンパ接続用Ｕスリット端子
２１ａ’、２１ｂ’  接続用Ｕスリット端子
２２ａ、２２ａ’、２２ｂ、２２ｂ’  断器（断器用コネクタ）
３１ａ、３１ａ’  ＨＰＦカード接続端子
３１ｂ、３１ｂ’  ＬＰＦカード接続端子
７１ａ  スプリッタモジュール入力端子
７１ａ’  ＰＯＴＳ接続端子
７１ａ’’  ＡＤＳＬ接続端子
８１ａ  ジャンパ接続用Ｕスリット
８１ａ’  スプリッタ接続用Ｕスリット
９１ａ  ジャンパ接続用Ｕスリット
９１ａ’  スプリッタ接続用Ｕスリット
１００  ＰＣ端末（ＡＤＳＬ端末；ＰＣ）
１０１、１０４  電話端末（ＴＥＬ）
１０２  端末側ＰＯＴＳスプリッタ
１０３  電話回線
【図１】
0003778018.tif 000002
【図２】
0003778018.tif 000003
【図３】
0003778018.tif 000004
【図４】
0003778018.tif 000005
【図５】
0003778018.tif 000006
【図６】
0003778018.tif 000007
【図７】
0003778018.tif 000008